(57)【要約】【課題】  有効的にコロイドが溢れたり、又は気泡の発生を防止し、表示パネルの背面にいかなる突起又は凸凹が生じるのを避けることによって、表示パネルと機板が確実に結合するようにすることを課題とする。【解決手段】本考案におけるディスプレイは、発光領域である各コロイド注入経路が表示パネルの背面の開口周縁に位置し、少なくともひとつの導引経路を備え、コロイド注入過程において、導引経路がコロイド又はガスの回避スペースとなる。【選択図】図３
0003107821.tif 000002
【実用新案登録請求の範囲】
【請求項１】
発光ダイオードディスプレイの表示パネルにおいて、
複数の発光領域を備えた表示パネルと、
別にコロイド注入経路が当該表示パネルの背面まで貫通するように設けられた各発光領域と、を備え
各当該発光領域のコロイド注入経路は、当該表示パネルの背面の開口周縁に位置し、少なくともひとつの導引経路を有する、
ことを特徴とする発光ダイオードディスプレイの表示パネル。
【請求項２】
各当該導引経路は、当該表示パネルのその他の凹部スペースまで延伸することを特徴とする請求項1に記載の発光ダイオードディスプレイの表示パネル。
【請求項３】
各当該導引経路は、個別に固定の距離に延伸することを特徴とする請求項1に記載の発光ダイオードディスプレイの表示パネル。
【請求項４】
各当該導引経路は、相互につながった構造であることを特徴とする請求項1に記載の発光ダイオードディスプレイの表示パネル。
【請求項５】
各当該発光領域に埋設される発光ダイオードは、表面粘着型の発光ダイオードであることを特徴とする請求項1に記載の発光ダイオードディスプレイの表示パネル。
【請求項６】
発光ダイオードディスプレイにおけるコロイド注入経路において、
表示パネル上に複数の発光領域を備えるディスプレイと、
当該ディスプレイの背面まで貫通しているコロイド注入経路を備える各発光領域と、
各発光領域にコロイドによって固定された発光ダイオードと、
表示パネルの背面に設けられた機板と、
を備え、
各当該発光領域のコロイド注入経路が、当該表示パネルの背面の開口周縁に位置し、少なくともひとつの導引経路を備える、ことを特徴とする発光ダイオードディスプレイにおけるコロイド注入経路。
【考案の詳細な説明】
【技術分野】
【０００１】
本考案は、数字型発光ダイオードディスプレイの表示パネルの改良構造に関し、特に表示パネルにおいて発光ダイオードを埋設するコロイド注入経路の改良構造に関する。
【背景技術】
【０００２】
発光ダイオードは、電気を節約でき、体積が小さく、熱を発せず、寿命が長く、及び即座に発光する(予熱不要)というメリットを具えており、クリスマスのイルミネーション、懐中電灯、交通信号、スコアボード等の従来の電球が使われていた分野に取って代わってきており、発光ダイオードの製造技術が改良され続けていることも加わって、発光ダイオードの製造コストが大幅に低下し、チップ光源及び蛍光材料の波長の結合(又は、その他の技術、方法)を直接利用して、既定の光の色を呈することができるため、発光ダイオードが急速にダイオード産業の市場の構図を拡大することが予想される。
【０００３】
図1及び図2に示すのは、発光ダイオードを利用した光源であり、数字表示効果の発光ダイオードディスプレイ構造によるもので、そのディスプレイlOには、主に表示パネルl1上に複数の発光領域111が備えられ、各発光領域111は、ディスプレイ1Oの生成したい表示効果によって配置され、且つ各発光領域111には、コロイド注入経路12が表示パネル1lの背面まで貫通するように設けられ、各発光領域111に表面粘着型の発光ダイオード20を埋設しやすくする。また、表示パネル11の背面にコロイド30(co11oid)を注入することにより、発光ダイオード20を発光領域111内に確実に固定し、各発光領域111が配置された発光ダイオード20の通電作用のもと、光源効果を達することになる。
【考案の開示】
【考案が解決しようとする課題】
【０００４】
但し、従来の表示パネル11のコロイド注入経路12は、表示パネル1lの背面を直接貫通することで完成されていたため、コロイド30の注入過程において、コロイド30の注入量が多すぎることにより、コロイド30が表示パネル12の背面に溢れやすく、表示パネル12の背面に若干のムラが生じ、表示パネル12をメインボードと確実に結合させ、ディスプレイ10全体の作動効果が影響を受けていた。
【課題を解決するための手段】
【０００５】
本考案にかかわる「発光ダイオードディスプレイにおけるコロイド注入経路」において、ディスプレイは、表示パネル上に発光領域を設け、各発光領域はディスプレイの生成したい表示効果によって配置され、且つ各発光領域には表示パネルの背面まで貫通したコロイド注入経路が設けられ、各発光領域において表面実装型の発光ダイオードを埋設しやすくしており、表示パネルの背面にコロイドを注入することによって、発光ダイオードを発光領域に確実に固定する。
【０００６】
その中で、各コロイド注入経路は、表示パネルの背面の開口周縁に位置し、少なくともひとつの導引経路を有し、コロイド注入過程において、導引経路がコロイド又はガスの回避スペースとなり、有効的にコロイドが溢れたり、又は気泡の発生を防止し、表示パネルの背面にいかなる突起又は凸凹が生じるのを避けることによって、表示パネルと機板が確実に結合するようにする。
【考案の効果】
【０００７】
有効的にコロイドが溢れたり、又は気泡の発生を防止し、表示パネルの背面にいかなる突起又は凸凹が生じるのを避けることによって、表示パネルと機板が確実に結合することができる。
【考案を実施するための最良の形態】
【０００８】
本考案にかかわる「発光ダイオードディスプレイにおけるコロイド注入経路の改良」において、そのディスプレイにおける基本構造は、図3及び図4に示すように、表示パネル11上に複数の発光領域111を備え、各発光領域111はディスプレイ10が生成したい表示効果によって配置され、且つ各発光領域111はコロイド注入経路12を表示パネル11の背面を貫通するように設けることで、各発光領域111において表面粘着型の発光ダイオード20を埋設しやすくする。さらに、表示パネル11の背面にコロイド30を注入することによって、発光ダイオード20を発光領域111に確実に固定する。また、表示パネル11の背面は、機板13と結合し、機板13の作用のもと、各発光ダイオード20が既定の時間、順序によって通電し、ディスプレイ10全体に、文字(又は図形)を表現する効果を達する。
【０００９】
特に、各発光領域111に設けられるコロイド注入経路12は、表示パネルl1の背面の開口周縁に位置し、少なくともひとつの導引経路121を設ける。図に示すように、導引経路121は、直接表示パネル11のその他の凹部の空間まで延びている。
【００１０】
これにより、コロイド注入過程において、各導引経路121がコロイド30又はガスの回避スペースとなり、有効的にコロイドが溢れたり、気泡の発生を防止することができ、表示パネル11の背面にいかなる突起又は凸凹が起こることを避け、機板13と表示パネル11が確実に結合し、ディスプレイ1Oの作動効果を保つことができる。
【００１１】
さらに、導引経路121の主な作用は、表示パネル11の背面に、コロイド30の回避空間を提供できることである。したがって、具体的な実施例において、各導引経路は、表示パネルの実際の構造形態によって、延伸、固定の距離に設計され、又は相互につながった形態に構成される。
【００１２】
上述のように、本考案の提供する発光ダイオードディスプレイにおける別の比較的わかりやすいコロイド注入経路の構造について、法により実用新案の出願を行う。但し、上記の実施例の説明及び図面は、本考案の比較的わかりやすい実施例を示すものであり、本考案はこれによって何ら制限されるものではない。
本考案の構造、装置、特徴等に類似する、又は同等効果のものは、すべて本考案の創設目的及び実用新案登録講求の範囲に含まれるものとする。
【図面の簡単な説明】
【００１３】
【図１】従来の発光ダイオードディスプレイにおける表示パネルの正面構造イメージ図である。
【図２】従来の発光ダイオードディスプレイにおける表示パネルの構造断面図である。
【図３】本考案における発光ダイオードディスプレイの表示パネル背面の構造イメージ図である。
【図４】本考案における発光ダイオードディスプレイの表示パネルの構造断面図である。
【符号の説明】
【００１４】
10  ディスプレイ
11  表示パネル
111  発光領域
12  コロイド注入経路
121  導引経路
13  機板
20  発光ダイオード
30  コロイド
【図１】
0003107821.tif 000003
【図２】
0003107821.tif 000004
【図３】
0003107821.tif 000005
【図４】
0003107821.tif 000006